(57)【要約】【課題】小型化を図ることができるとともに内部へ水滴が浸入することを防止できるダクト構造、表示装置、および表示装置の水滴侵入防止方法を提供する。【解決手段】表示装置１の内外を連通し、表示装置１の内部に外部の空気を吸引する吸気口、または表示装置１の外部に内部の空気を排出する排気口２１ｂを有するダクト２有し、ダクトは２、第２円筒部（一方の端部側）５２が外部に露出していて、第２円筒部５２の外周面に全周にわたる無端状の溝部５２１が形成されている。【選択図】図６
2017151152.tif 000002
【特許請求の範囲】
【請求項１】
表示装置に設けられ、該表示装置の内部で発生した熱を外部へ排出する排熱機構のダクト構造において、
前記表示装置の内外を連通し、前記表示装置の内部に外部の空気を吸引する吸気口、または前記表示装置の外部に内部の空気を排出する排気口を有するダクトを有し、
該ダクトは、前記吸気口または前記排気口が形成された一方の端部側が外部に露出していて、該一方の端部側の外周面に全周にわたる無端状の溝部が形成されていることを特徴とするダクト構造。
【請求項２】
前記吸気口または前記排気口と隙間を空けて配置される整流板を有し、
該整流板は、前記吸気口または前記排気口と対向して配置される本体部と、該本体部の外縁部全周から前記ダクト側に突出する突出部と、を有し、
該突出部の先端部は、前記吸気口または前記排気口よりも前記ダクト側に配置されるとともに、該ダクトの外周面を隙間を空けて囲んでいることを特徴とする請求項１に記載のダクト構造。
【請求項３】
前記溝部は、前記ダクトの軸線を含む平面における断面形状が全周にわたって同一形状であることを特徴とする請求項１または２に記載のダクト構造。
【請求項４】
前記ダクトは、前記一方の端部側の外径が他方の端部側の外径よりも小さいことを特徴とする請求項１乃至３のいずれか一項に記載のダクト構造。
【請求項５】
請求項１乃至４のいずれか一項に記載のダクト構造を有することを特徴とする表示装置。
【請求項６】
表示装置の内部に水滴が浸入することを防止する表示装置の水滴侵入防止方法において、
前記表示装置は、内外を連通し内部に外部の空気を吸引する吸気口、または外部に内部の空気を排出する排気口を有するダクトを有していて、
該ダクトにおける前記吸気口または前記排気口が形成された一方の端部側を外部に露出させて、該一方の端部側の外周面に全周にわたる無端状の溝部を形成し、
前記ダクトの前記一方の端部側において外周面についた水滴を前記溝部に沿って前記ダクトの下部側に移動させて、前記ダクトの下方に落下させることを特徴とする表示装置の水滴侵入防止方法。
【発明の詳細な説明】
【技術分野】
【０００１】
本発明は、ダクト構造、表示装置、および表示装置の水滴侵入防止方法に関する。
【背景技術】
【０００２】
液晶ディスプレイパネルなどの表示パネルを用いた表示装置には、内部で発生した熱を外部へ排出するための排熱機構が設けられている（例えば、特許文献１参照）。特許文献１に開示された表示装置では、雨水などの水滴が排熱機構の吸気口や排気口から内部に浸入することを防止するために、吸気口や排気口と繋がるダクトが内側から外側に向かって漸次下側に向かう斜めの姿勢に配置されている。
【先行技術文献】
【特許文献】
【０００３】
【特許文献１】特開２００８−２７５９１０号公報
【発明の概要】
【発明が解決しようとする課題】
【０００４】
しかしながら、ダクトを斜めの姿勢に配置すると、ダクトを水平に設置する場合と比べてダクトの設置スペースを広く確保する必要がある。このため、ダクトおよび表示装置の小型化が困難である。
【０００５】
そこで、本発明は、小型化を図ることができるとともに表示装置の内部に水滴が浸入することを防止できるダクト構造、表示装置、および表示装置の水滴侵入防止方法を提供することを目的とする。
【課題を解決するための手段】
【０００６】
上記目的を達成するため、本発明に係るダクト構造は、表示装置に設けられ、該表示装置の内部で発生した熱を外部へ排出する排熱機構のダクト構造において、前記表示装置の内外を連通し、前記表示装置の内部に外部の空気を吸引する吸気口、または前記表示装置の外部に内部の空気を排出する排気口を有するダクトを有し、該ダクトは、前記吸気口または前記排気口が形成された一方の端部側が外部に露出していて、該一方の端部側の外周面に全周にわたる無端状の溝部が形成されていることを特徴とする。
【０００７】
また、本発明に係る表示装置では、上記のダクト構造を有することを特徴とする。
【０００８】
また、本発明に係る表示装置の水滴侵入防止方法では、表示装置の内部に水滴が浸入することを防止する表示装置の水滴侵入防止方法において、前記表示装置は、内外を連通し内部に外部の空気を吸引する吸気口、または外部に内部の空気を排出する排気口を有するダクトを有していて、該ダクトにおける前記吸気口または前記排気口が形成された一方の端部側を外部に露出させて、該一方の端部側の外周面に全周にわたる無端状の溝部を形成し、前記ダクトの前記一方の端部側において外周面についた水滴を前記溝部に沿って前記ダクトの下部側に移動させて、前記ダクトの下方に落下させることを特徴とする。
【発明の効果】
【０００９】
本発明によれば、小型化を図ることができるとともに表示装置の内部に水滴が浸入することを防止できる。
【図面の簡単な説明】
【００１０】
【図１】本発明の実施形態による表示装置を前方から見た斜視図である。
【図２】本発明の実施形態による表示装置を後方から見た斜視図である。
【図３】本発明の実施形態による表示装置の分解斜視図である。
【図４】排熱機構の分解斜視図である。
【図５】図２のＡ−Ａ線断面図である。
【図６】図５のＢ部分拡大図である。
【図７】図５のＣ部分拡大図である。
【図８】ダクト本体および整流板を説明する図である。
【図９】（ａ）は図８のＤ−Ｄ線断面図、（ｂ）は図８のＥ−Ｅ線断面図、（ｃ）は図８のＦ−Ｆ線断面図である。
【図１０】ポートレート設置（縦置き）の表示装置を説明する図である。
【図１１】ダクト本体の第１円筒部と第２円筒部とが内径および外径がともに同じ寸法であるダクト構造を説明する図である。
【図１２】図６の部分拡大図である。
【発明を実施するための形態】
【００１１】
以下、本発明の実施形態によるダクト構造、表示装置、および表示装置の水滴侵入防止方法について、図１乃至図１２に基づいて説明する。
図１乃至図３に示すように、本発明の実施形態による表示装置１は、表示パネル１１と、表示パネル１１の外縁部を保持する枠体（ベゼル）１２と、表示装置１の内部で発生した熱を外部へ排出する排熱機構１３と、を有している。表示装置１は、屋外に設置されることも想定されている。
【００１２】
表示パネル１１は、板面が矩形の板状に形成されていて、例えば液晶ディスプレイパネルや、有機ＥＬ（Ｅｌｅｃｔｒｏ  Ｌｕｍｉｎｅｓｃｅｎｃｅ）パネル、プラズマディスプレイパネルなどで構成されている。なお、表示装置１には、表示パネル１１の表面を覆う保護ガラス１４や、表示パネル１１と接続される回路基板１５（図３参照）などの部材が適宜設けられている。
枠体１２は、角筒状に形成され、軸線方向の一方側に表示パネル１１および保護ガラス１４が配置され、軸線方向の他方側に背面カバー１６が配置されている。背面カバー１６は、板面が枠体１２の開口を覆う矩形の板状に形成され、外縁部が枠体１２に保持されている。
【００１３】
本実施形態では、表示装置１は、主に枠体１２の軸線方向が水平となり、表示パネル１１および背面カバー１６それぞれの板面が鉛直面となる姿勢に配置される。以下の各部材の説明では、表示装置１が上記の姿勢であるものとし、背面カバー１６に対して表示パネル１１が配置されている側を前側、表示パネル１１に対して背面カバー１６が設けられている側を後側とする。また、前後方向に直交する水平方向を幅方向とする。
また、本実施形態では、表示装置１は、前後方向から見た形状が横長の略長方形となる向きランドスケープ設置（横置き）または縦長の長方形となる向きポートレート設置（横置き、図１０参照）の２つの向きに設置可能に構成されている。以下の各部材の説明では、表示装置１がランドスケープ設置されているものとする。
【００１４】
図２および図４に示すように、背面カバー１６には、排熱機構１３のダクト２，２…がそれぞれ貫通する複数のダクト貫通孔１６１，１６１…が形成されているとともに、排熱機構１３の複数のダクト本体５，５…がそれぞれ固定されるダクト本体固定部１６２，１６２…が突設されている。
ダクト貫通孔１６１，１６１…は、背面カバー１６の上部側および下部側それぞれに幅方向に間隔をあけて複数形成されている。
【００１５】
ダクト本体固定部１６２，１６２…は、背面カバー１６から後方に突出していて、後方からネジまたはピンなどの固定具が挿通される孔部１６３が形成されている。ダクト本体固定部１６２，１６２…は、ダクト貫通孔１６１，１６１…の近傍にそれぞれ１つずつ設けられていて、背面カバー１６の上部側に形成されたダクト貫通孔１６１，１６１…に対してはその上側、背面カバー１６の下部側に形成されたダクト貫通孔１６１，１６１…に対してはその下側に設けられている。
【００１６】
図３および図４に示すように、排熱機構１３は、枠体１２の内部において表示パネル１１の後側に配置された複数のファン１７，１７…と、背面カバー１６のダクト貫通孔１６１，１６１…それぞれに挿通された複数のダクト２，２…と、複数のダクト２，２…それぞれの後方に設けられ、複数のダクト２，２…に吸引される空気または複数のダクト２，２…から排出される空気の流れおよび量を調整する整流板３と、を有している。
【００１７】
ここでは、ダクト２，２…とは、背面カバー１６のダクト貫通孔１６１，１６１…を貫通し、表示装置１の内部と外部を連通させる部材を意味している。ダクト２，２…には、表示装置１の外部の空気を内部に吸引するための吸気ダクト２１，２１…と、表示装置１の内部の空気を外部に排出するための排気ダクト２２，２２…と、が含まれている。吸気ダクト２１の吸気口を吸気口２１ａとし、排気ダクト２２の排気口を排気口２１ｂとする。
【００１８】
図５に示すように、本実施形態では、吸気ダクト２１，２１…が背面カバーの下部側のダクト貫通孔１６１，１６１…を貫通し、排気ダクト２２，２２…が背面カバーの上部側のダクト貫通孔１６１，１６１…を貫通している。排気機構１３は、給気ダクト２１の吸気口２１ａから吸引した表示装置１の外部の空気を、表示装置１の内部を通過させて排気ダクト２２の排気口２２ａから表示装置１の外部に排出する。このとき、表示装置１の内部を通過する空気によって表示パネル１１などから発生する熱を表示装置１の外部に排出することができる。
【００１９】
図３および図４に戻り、ファン１７，１７…は、公知の構造のもので構成されている。本実施形態では、ファン１７，１７…は、ファン支持枠１７１，１７１…に支持されている。ファン支持枠１７１，１７１…は、表示パネル１１の後側に設けられて回路基板１５を収容する回路基板収容ボックス１５１（図４参照）に固定されている。
【００２０】
図４、図６乃至図９に示すように、複数のダクト２，２…は、背面カバー１６のダクト貫通孔１６１を貫通するダクトベース４と、背面カバー１６の後側においてダクトベース４に取り付けられるダクト本体５と、ダクトベース４の内部に取り付けられるフィルター部６と、をそれぞれ有している。
【００２１】
ダクトベース４は、軸方向が前後方向となり背面カバー１６を貫通する円筒状の円筒部４１と、円筒部４１の外周部から径方向外側に突出し背面カバー１６の後面に固定される板状の固定板部４２と、を有している。
円筒部４１は、前端部近傍にフィルター部６を係止するフィルター係止部（不図示）が設けられている。フィルター部６は、メッシュ６１（図４参照）やフィルター６２（図４参照）を有する公知の構造で構成されている。
【００２２】
固定板部４２は、板面が前後方向を向き板面の外形が略正方形に形成され、中央部に円筒部４１が貫通している。固定板部４２の４つの角部近傍には、それぞれ孔部４２１，４２１…が形成されている。
ダクトベース４は、円筒部４１が背面カバー１６のダクト貫通孔１６１を貫通しており、固定板部４２の孔部４２１，４２１…に挿通されたネジやピンなどによって、背面カバー１６に固定されている。
【００２３】
ダクト本体５は、軸線方向が前後方向となりダクトベース４の円筒部４１に固定される第１円筒部５１と、軸線方向が前後方向となり第１円筒部５１の後端部に連続して形成される第２円筒部５２と、第１円筒部５１の外周面から径方向外側に突出し背面カバー１６のダクト本体固定部１６２に固定される固定片５３（図４参照）と、第２円筒部５２の前端部から周方向に略等間隔をあけて前方に突出する４つの突出片５４，５４…と、第２円筒部５２に周方向に略等間隔をあけて固定され整流板３を係止する３つの整流板係止部５５（図４参照）と、を有している。
【００２４】
第１円筒部５１は、内径がダクトベース４の円筒部４１の外径よりもやや大きい寸法に形成されている。第１円筒部５１の後端部における外周側の角部５１ａは、Ｒ形状に形成されている。
【００２５】
第２円筒部５２は、外径が第１円筒部５１の外径よりも小さい寸法に、内径が第１円筒部５１の内径よりも小さい寸法に形成されている。第２円筒部５２は、前端部分の外周が第１円筒部５１の後端部分の内周と連続していて、第１円筒部５１の後端部分の内周面と、第２円筒部５２の前端面とが段部５６を形成している。
第２円筒部５２には、外周面に全周にわたって延びる無端状の溝部５２１が形成されている。溝部５２１は、断面形状が略Ｕ字形状で、第２円筒部５２の後端部よりもやや前側に形成されている。図９に示すように、溝部５２１は、第２円筒部５２の軸線を含む平面における断面形状が全周にわたって同一形状となっている。
第２円筒部５２の後側の開口が、吸気口２１ａまたは排気口２１ｂとなっている。
【００２６】
図４に戻り、固定片５３は、前後方向に貫通しネジやピンなどの固定具が挿通可能な孔部５３１が形成されている。固定片５３は、背面カバー１６のダクト本体固定部１６２，１６２…と前後方向に対向するように配置される。
４つの突出片５４，５４…は、第１円筒部５１の内側に第１円筒部５１の内周面と間隔をあけて配置されている。
整流板係止部５５は、後側に開口する孔部を有する有底筒状の部材で、後端部が第２円筒部５２の後端部よりも後方に突出している。
【００２７】
図６および図７に示すように、このようなダクト本体５は、第１円筒部５１の内部にダクトベース４の円筒部４１を挿し込まれ、固定片５３が背面カバー１６のダクト本体固定部１６２と前後方向に対向して当接し、ダクト本体固定部１６２の孔部１６３および固定片５３の孔部５３１にネジやピンなどの固定具が挿通されることにより、背面カバー１６に固定される。
このとき、第２円筒部５２は、ダクトベース４の円筒部４１の後側に配置され、段部５６が円筒部４１の後端面と当接している。また、第２円筒部５２の外周面は、円筒部４１の外周面よりも内側に配置されている。
突出片５４，５４…はダクトベース４の円筒部４１の内側に配置され、第１円筒部５１とともにダクトベース４の円筒部４１を挟持している。
【００２８】
図６乃至図９に示すように、整流板３は、板面が前後方向を向くように配置される円板状の円板部（本体部）３１と、円板部３１の外縁部全周から前側に突出する円環状の突出部３２と、を有している。
円板部３１は、ダクト本体５の第２円筒部５２の外径よりも大きい外径に形成されている。なお、本実施形態では、円板部３１は、ダクト本体５の第１円筒部５１の外形よりも大きい外径に形成されている。
円板部３１には、前後方向に貫通しネジやピンなどの固定具が挿通可能な３つの孔部３１１，３１１…（図８および図９（ｂ）参照）が周方向に等間隔をあけて３つ形成されている。この３つの孔部３１１，３１１…は、整流板３がダクト本体５に固定されると、ダクト本体５の整流板係止部５５，５５…と前後方向に対向する位置にそれぞれ配置される。円板部３１の孔部３１１，３１１…に挿入された固定具がダクト本体５の整流板係止部５５の孔部に挿入されて係止されることで、整流板３がダクト本体５に固定される。なお、円板部３１の前面は、整流板係止部５５の後端部とは当接しているが、ダクト本体５の第２円筒部５２の後端部（吸気口２１ａまたは排気口２１ｂ）とは隙間を空けて離間している。
【００２９】
突出部３２は、円板部３１の外縁部全周から前側に向かって漸次径方向外側に向かうように延びるとともに、径方向外側に突出するように湾曲している。整流板３の外縁部は、ダクト本体５よりも径方向外側に配置されている。
整流板３の突出部３２の先端部（前端部）は、ダクト本体５の後端部（吸気口２１ａまたは排気口２１ｂ）よりも前側に配置されている。突出部３２は、整流板３がダクト本体５に固定されると、ダクト本体５と隙間を空けて離間している。
本実施形態では、突出部３２の先端部分（前端部分）における径方向内側の角部３２ａは、Ｒ形状に形成されている。突出部３２の先端部分における径方向内側の角部３２ａがＲ形状に形成されているとともに、ダクト本体５の第１円筒部５１の後端部における外周側の角部５１ａがＲ形状に形成されていることにより、両方の角部３２ａ，５１ａがともに略直角に形成されている場合と比べて、ダクト本体５と整流板３との隙間を広く確保することができる。
このような排熱機構１３では、整流板３とダクト本体５との隙間３３を介して表示装置１の内部と外部との間の空気の流通を行うように構成されている。
【００３０】
次に、本実施形態による表示装置の水滴侵入防止方法について説明する。
本実施形態による表示装置の水滴侵入防止方法では、降雨時にダクト本体５に水滴が落下すると、その水滴を溝部５２１の内部に収容し、溝部５２１内の水滴を溝部５２１に沿ってダクト本体５の下部側に移動させて、ダクト本体５の下方に落下させている。これにより、ダクト本体５に落下した水滴が吸気口２１ａや排気口２１ｂから表示装置１の内部に浸入することを防止している。
【００３１】
次に、上述した本発明の実施形態によるダクト構造、表示装置１、および表示装置の水滴侵入防止方法の作用・効果について図面を用いて説明する。
上述した本発明の実施形態によるダクト構造、表示装置１、および表示装置の水滴侵入防止方法では、第２円筒部５２の外周面に全周にわたって無端状の溝部５２１が形成されている。これにより、降雨時にダクト本体５に水滴が落下したとしても、その水滴が溝部５２１の内部に収容され、溝部５２１に沿って下方に落下するため、ダクト本体５の外周面に落下した水滴が吸気口２１ａや排気口２１ｂから表示装置１の内部に浸入することを防止できる。
また、ダクト２を斜めの姿勢としなくても表示装置１の内部に水滴が浸入することを防止できるため、ダクト２の設置スペースを縮小することができ、ダクト２および表示装置１の小型化を図ることができる。
【００３２】
さらに、本発明の実施形態では、整流板３の突出部３２の先端部がダクト本体５の第２円筒部５２の吸気口２１ａまたは排気口２１ｂよりも前側に配置されるとともに、第２円筒部５２の外周面を隙間を空けて囲んでいる。これにより、降雨時に吸気口２１ａや排気口２１ｂから表示装置１の内部に雨水などの水滴が浸入することをより効果的に防止できる。  
【００３３】
また、溝部５２１は、第２円筒部５２の軸線を含む平面における断面形状が全周にわたって同一形状であることにより、図１に示すようなランドスケープ設置（横置き）や図１０に示すようなポートレート設置（縦置き）などの所望の向きに設置したとしても、溝部５２１の配置が同様となるため、いずれの場合も同様に表示装置１の内部に水滴が浸入することを防止できる。
これにより、表示装置１の向きによってダクト２の向きを調整する必要がなく、表示装置１の向きを容易に変更することができる。
【００３４】
また、ダクト本体５の第２円筒部５２の外径は、第１円筒部５１の外径よりも小さいことにより、第１円筒部５１の外径と第２円筒部５２の外径とが同じ場合と比べて、整流板３の形状を小さくすることができる。このため、ダクト２および表示装置１の小型化を図ることができる。
【００３５】
また、整流板３は、突出部３２と第２円筒部５２との間に隙間を設けるため、第２円筒部５２よりも大きい外径である必要がある。しかし、ダクト２を表示装置１に搭載する場合、実装面積・空間に制約がある為、より小型化することは重要な設計要素である。このため、整流板３の外径がダクト本体５の外径（占有面積）を超えない設計とすること好ましく、整流板３の外径を小さくする必要がある。
しかしながら、整流板３の外径を小さくすると、整流板３とダクト本体５との隙間も小さくなり、排熱機構１３の吸排気能力が低下する虞がある。これを回避するために、ダクトベースの内径、およびダクト本体５の第１円筒部５１の外径を小さくすることが考えられるが、結果的には、排熱機構１３の吸排気能力の低下につながる要因となる。
【００３６】
ここで、図１１に示すように、ダクト本体５Ｂの第１円筒部５１Ｂと第２円筒部５２Ｂとが内径および外径がともに同じ寸法であるダクト２Ｂのダクトベース４Ｂの円筒部４１の内半径をＤ１１とし、ダクト本体５Ｂの第２円筒部５２Ｂの外周面と整流板３Ｂの突出部３２Ｂとの間の隙間をｄ１１とし、ダクト本体５Ｂの第２円筒部５２Ｂの後端部と整流板３Ｂとの間の隙間をｄ２１とする。また、図１２に示すように、本実施形態によるダクト２のダクトベース４の円筒部４１の内半径をＤ１２とし、ダクト本体５の第２円筒部５２の外周面と整流板３の突出部３２との間の隙間をｄ１２とし、ダクト本体５の第２円筒部５２の後端部と整流板３との間の隙間をｄ２２とする。
そして、本実施形態によるダクト２において、Ｄ１２＝Ｄ１１、ｄ１２＝ｄ１１、ｄ２２＝ｄ２１とすることで、排熱機構１３の吸排気能力の低下を抑制することができる。
【００３７】
以上、本発明によるダクト構造、表示装置１、および表示装置の水滴侵入防止方法の実施形態について説明したが、本発明は上記の実施形態に限定されるものではなく、その趣旨を逸脱しない範囲で適宜変更可能である。
例えば、上記の実施形態では、ダクトベース４の円筒部４１、ダクト本体５の第１円筒部５１および第２円筒部５２は、円筒状に形成されているが、これらの部材に代わって角筒状などの筒状の部材が設けられていてもよい。
また、上記の実施形態では、ダクト本体５と対向するように整流板３が設けられているが、整流板の形態は適宜設定されてよい。
また、上記の実施形態では、溝部５２１は、第２円筒部５２の軸線を含む平面における断面形状が全周にわたって同一形状であるが、異なっていてもよい。
また、上記の実施形態では、ダクト本体５は、第２円筒部５２の外径が第１円筒部５１の外径よりも小さい寸法に形成されているが同じ寸法に形成されていてもよい。
【００３８】
また、上記の実施形態では、表示装置１に複数の吸気ダクト２１，２１…および複数の排気ダクト２２，２２…が設けられているが、吸気ダクト２１および排気ダクト２２が１つずつ設けられていてもよい。
また、複数のダクト２，２…のうちの一部のダクト２には、本実施形態による整流板３と異なる形態の整流板３が設けられていてもよい。
【符号の説明】
【００３９】
１  表示装置
２  ダクト
３  整流板
４  ダクトベース
５  ダクト本体
１１  表示パネル
１２  枠体
１３  排熱機構
２１ａ  吸気口
２１ｂ  排気口
３１  円板部（本体部）
３２  突出部
５１  第１円筒部
５２  第２円筒部
【図１】
2017151152.tif 000003
【図２】
2017151152.tif 000004
【図３】
2017151152.tif 000005
【図４】
2017151152.tif 000006
【図５】
2017151152.tif 000007
【図６】
2017151152.tif 000008
【図７】
2017151152.tif 000009
【図８】
2017151152.tif 000010
【図９】
2017151152.tif 000011
【図１０】
2017151152.tif 000012
【図１１】
2017151152.tif 000013
【図１２】
2017151152.tif 000014